(57)【特許請求の範囲】
【請求項１】
弾性材料で一体成形され、注口を開閉できるように容器の上部開口部に装着される蓋であって、
容器の開口部の周囲に気密に嵌合する環状の嵌合部と、
基端縁が前記嵌合部の上縁に連続し、基端縁から上広がりのほぼ円錐筒状に上方へ延出するフード部と、
基端縁が前記フード部の内周面に曲折可能に連続し、常態においては容器の開口部の上方を覆うようにドーム状に膨出するが、中央部を限界点を越えて下方へ押し下げられた状態においては、基端縁を境に反転して下方へ膨出する天蓋部と、
この天蓋部の上面から上方へ突出する摘み部とを具備し、
前記天蓋部は、常態においてフード部との間に注口を形成し、反転状態においては周縁部がフード部の内周面に密着して当該注口を閉じる切欠部を基端部に有し、
前記摘み部を持って天蓋部の湾曲方向を上下に反転操作することにより、前記切欠部の周縁部を前記フード部の内周面に接離させ、注口を開閉可能に構成されることを特徴とする注口付き容器蓋。
【請求項２】
請求項１に記載の注口付き容器蓋が装着された液体容器。
【発明の詳細な説明】
【技術分野】
【０００１】
この発明は、冷水筒などの容器の開口部に装着され、開閉操作できる注口を備えた蓋と、この蓋を備えた容器に関する。
【背景技術】
【０００２】
開口の周縁を変形させて注口を形成してなる冷水筒のような容器に装着される構造簡易な蓋として、特許文献１に記載されたものが知られている。この蓋は、シリコンゴム等の弾性素材で一体成形される。蓋は、容器の開口部全体を覆うことのできる平らな天蓋部と、それの周囲に形成される環状のバンド部とを具備する。バンド部を弾性的に変形させて、注口のある容器の開口部外周に着脱自在に嵌合させる。常時は注口部分が開放しているが、バンド部に形成された二ヶ所の切り込みにより、天蓋部の一部を折り曲げて容器の注口に被せ、突設された爪を注口の縁に掛け止めることで、注口を閉止できる。爪を外せば、注口の被覆部分が弾性的に原形に復元して注口が開き、飲料等を注ぎ出すことができる。
開口部が円形の容器に装着される碗形ゴム製の蓋が特許文献２に記載されている。碗状天蓋部と天蓋部より肉厚の周縁部とが伸縮性を有するシリコンゴムにて一体に形成される。碗状天蓋部を反転させて、容器本体の内側に折り込むことができる。
液状製品の注ぎ出しパッケージが特許文献３に記載されている。この注ぎ出しパッケージは、容器の流出開口の回りを密閉する周縁部分と、容器内の所定の流出圧力に応答して流体を流出させるように開き且つ所定の流出圧力を除去すると流体の流れを遮断するように閉じるオリフィスを備えた中心領域を持つヘッド部分を具備する。中心領域部分は、常時は断面円弧状に内側にくぼんでいるが、内圧によりくぼみが外側へ反転すると、オリフィスが開き、容器内の液状製品が流出する。
【先行技術文献】
【特許文献】
【０００３】
【特許文献１】特開２００７−９１３３５号公報
【特許文献２】特開２０１０−２８５２１８号公報
【特許文献３】特表２０００−５１５０９７号公報
【発明の概要】
【発明が解決しようとする課題】
【０００４】
上記特許文献１に記載されたものは、開口の周縁に注口が形成されていない容器に適用することができない。開閉操作の度に、注口の周辺部に手を触れる操作が必要で、衛生管理が難しく、また爪の係合では、確実に注口を閉鎖することが困難である。
特許文献２，３に記載されたものは、いずれも冷水筒のような容器の開口に装着して、注口を開閉する蓋に適用することができない。
したがって、この出願に係る発明は、容器の開口に装着して、注口を簡単な操作で確実に開閉でき、構造が簡易で比較的安価に製作できると共に、衛生管理も容易な容器用の蓋と、この蓋を備えた容器を提供することを課題としている。
【課題を解決するための手段】
【０００５】
以下、添付図面の符号を参照して説明するが、本発明はこれに限定されるものではない。
上記課題を解決するための、この出願に係る発明の容器蓋１は、シリコンゴム等の弾性材料で一体成形され、注口９を開閉できるように容器２の開口部２ａに装着される。容器蓋１は、環状の嵌合部３と、環状のフード部４と、容器の開口部２ａの上方を覆う天蓋部５と、天蓋部５の上面から上方へ突出する摘み部６とを具備する。嵌合部３は、容器の開口部２ａの周囲に気密に嵌合する。フード部４は、基端縁が嵌合部３の上縁に連続し、そこから上広がりのほぼ円錐筒状に上方へ延出する。天蓋部５は、基端縁がフード部４の内周面に曲折可能に連続し、常態においては容器２の開口部２ａの上方を覆うように上方へドーム状に膨出するが、中央部を限界点を越えて下方へ押し下げられた状態においては、基端縁を境に反転して下方へ膨出する。また天蓋部５は、摘み部６を持って上下に押し引き操作することにより、膨出方向を上下に反転可能で、常態においてフード部４との間に注口９を形成するための切欠部８を基端部に有する。天蓋部５は下方へ反転した状態においては、切欠部８の周縁部がフード部４の内周面に密着して注口９を閉じる。
【発明の効果】
【０００６】
この出願に係る容器蓋とこれを装着した容器によれば、注口を簡単な操作で確実に開閉でき、構造が簡易で比較的安価に製作できると共に、衛生管理も容易である。
【図面の簡単な説明】
【０００７】
【図１】蓋を装着した容器の断面図である。
【図２】図１の容器の平面図である。
【図３】図２におけるIII−III断面図である。
【図４】注口を閉鎖した状態の蓋の断面図である。
【図５】図４の蓋の平面図である。
【発明を実施するための形態】
【０００８】
図面を参照してこの発明の実施の形態を説明する。
蓋１を装着する容器２は、円筒状で、上方に開放する開口部２ａを有する。蓋１は、シリコンゴム等の弾性体素材で一体成形され、容器の開口部２ａに被さるように装着される。
蓋１は、容器の開口部２ａの内周に気密に嵌合する環状の嵌合部３と、それの上部へ連続するフード部４と、さらにそれの上部へ連続する天蓋部５と、それの上部に突出する摘み部6とを具備する。
フード部４は、基端縁が嵌合部３の上縁に連続し、そこから上広がりのほぼ円錐筒状に上方へ延出する。
天蓋部５は、基端縁が、肉薄の屈曲部７を介して、フード部４の内周面に曲折可能に連続し、そこから容器の開口部2ａの上方を覆うように、上方へドーム状に膨出する。天蓋部５は、常態においては図1に示すように、上方へ膨出するが、中央部を限界点を越えて下方へ押し下げられた閉状態においては、図４に示すように、基端縁を境に反転して下方へ膨出する。
天蓋部５は、基端側の一部に、常態においてフード部４との間に注口９を形成する（図1）切欠部８を有する。切欠部８は、天蓋部５の反転状態（図４）においては、周縁部がフード部４の内周面に密着して注口９を閉じることができる。天蓋部５の基端縁、すなわちフード部４との接続部は、切欠部８の反対側から切欠部８側へ向かって傾斜して上昇するように配置される。摘み部６は、天蓋部５の上面から上方へ突出する。この摘み部６を持って天蓋部５を嵌合部３内へ押し下げることで、図4に示すように、天蓋部５の湾曲方向を下方へ反転させることができる。天蓋部５の反転により、切欠部８の周縁部がフード部４の内周面に接し、注口９が閉じる。この状態で容器2を傾けても、内部の液体は流出しない。１０は通気孔である。
注口9の閉状態から、摘み部６を持って天蓋部５を引き上げると、図4に示すように、天蓋部５が上方へ反転し、注口９が開く。この状態で、容器2を傾ければ、内部の液体を注口9から注ぎ出すことができる。注口9から出た液体は、フード部４に沿って円滑に流出する。なお、フード部４は、注口９に対応する位置において注口９より上方へ延出している必要があるが、天蓋部５の全周にわたって同じ高さに立ち上がっている必要はない。
蓋1はシリコンゴムで一体に形成され、複雑な部品の組立機構を持たないから、製造容易であり、また洗浄容易である。注口9の開閉操作も容易である。
【符号の説明】
【０００９】
１    蓋
２    容器
２ａ  開口部
３    嵌合部
４    フード部
５    天蓋部
６    摘み部
７    屈曲部
８    切欠部
９    注口
１０  通気孔
【図１】
0005656672.tif 000002
【図２】
0005656672.tif 000003
【図３】
0005656672.tif 000004
【図４】
0005656672.tif 000005
【図５】
0005656672.tif 000006